(57)【要約】【課題】書き込み時に施される力を利用して発射周波数を変更させる電磁気式指示器とその制御方法を提供する。【解決手段】コア及び発振回路により構成される。コアはペン先を備え、発振回路は複数の導体接続点及び導体部材を有する。ペン先が圧力を受けた後に導体部材を導体接続点に接触させて発振回路の容量値を増加させ、発振回路はすぐに発射周波数を変化させて非連続性の変化を達成させる。【選択図】図４Ａ
2014110039.tif 000002
【特許請求の範囲】
【請求項１】
電磁気式指示器の制御方法であって、
コア、及び複数の導体接続点及び導体部材を有し、前記コアが圧力を受けると前記導体部材は前記導体接続点に接触されて前記発振回路の容量値を増加させる発振回路を備える、電磁気式指示器及び入力装置を提供する工程と、
前記電磁気式指示器を前記入力装置に設置させて前記コアのペン先に対し力を加えて前記導体部材を前記導体接続点に接触させて前記発振回路の容量値を増加させ、前記電磁気式指示器が発信する信号の周波数は前記ペン先が圧迫される初期に非連続の変化を発生させる工程を含む事を特徴とする、
電磁気式指示器の制御方法。
【請求項２】
前記ペン先に対し継続して力が加えられると、前記発振回路のインダクタンス値は上昇する事を特徴とする、請求項１に記載の電磁気式指示器の制御方法。
【請求項３】
前記ペン先に対し継続して力が加えられると、前記発振回路のインダクタンス値は下降する事を特徴とする、請求項１に記載の電磁気式指示器の制御方法。
【請求項４】
前記発振回路の前記周波数に非連続性の変化が発生すると、前記入力装置及び前記電磁気式指示器は書き込み機能を起動させる事を特徴とする、請求項１に記載の電磁気式指示器の制御方法。
【請求項５】
前記導体部材は円錐形ばね或いは導電ゴムを備える事を特徴とする、請求項１に記載の電磁気式指示器の制御方法。
【請求項６】
前記入力装置はスマートフォン、タブレット型コンピューター、或いは電子書籍端末を含む事を特徴とする、請求項１に記載の電磁気式指示器の制御方法事を特徴とする、請求項１に記載の電磁気式指示器の制御方法。
【請求項７】
電磁入力装置に搭載して使用される電磁気式指示器であって、
ペン先を含むコアと、
複数の導体接続点及び導体部材を有し、前記ペン先が圧力を受けると前記導体部材は前記導体接続点に接触されてそれの容量値を増加させ、それが発信させる信号の周波数は前記ペン先が圧迫される初期に非連続の変化を発生させる発振回路を備える事を特徴とする、
電磁気式指示器。
【請求項８】
前記導体部材が前記導体接続点に接触されると電気容量を加えると共に前記発振回路の前記容量値を増加させる事を特徴とする、請求項７に記載の電磁気式指示器。
【請求項９】
前記ペン先が圧力を受けると、前記発振回路のインダクタンス値は上昇する事を特徴とする、請求項７に記載の電磁気式指示器。
【請求項１０】
前記ペン先が圧力を受けると、前記発振回路のインダクタンス値は下降する事を特徴とする、請求項７に記載の電磁気式指示器。
【請求項１１】
前記発振回路の前記周波数が下降すると、前記入力装置及び前記電磁気式指示器は書き込み機能を起動させる事を特徴とする、請求項７に記載の電磁気式指示器。
【請求項１２】
前記導体部材は円錐形ばね或いは導電ゴムを備える事を特徴とする、請求項７に記載の電磁気式指示器。
【請求項１３】
前記入力装置はスマートフォン、タブレット型コンピューター、或いは電子書籍端末を含む事を特徴とする、請求項７に記載の電磁気式指示器。
【請求項１４】
電磁気式指示器の周波数値ｆnを検知させる工程と、
前記周波数値ｆnが前記電磁気式指示器のペン先が起動して筆跡が出現する周波数の閾値ｆONより小さいかを判断させる工程と、
前記周波数値ｆnが前記電磁気式指示器の第一方キーが押される際の周波数の上限値ｆUBより小さいかを判断させる工程と、
前記周波数値ｆnが前記電磁気式指示器の第二方キーが押される際の周波数の下限値ｆLBより小さいかを判断させる工程を含む事を特徴とする、
電磁気式指示器による発射周波数の変化模式の判断方法。
【請求項１５】
前記周波数値ｆnが前記周波数の閾値ｆONより大きい場合は、前記電磁気式指示器は如何なるキーも押されていない状態である事を特徴とする、請求項１４に記載の電磁気式指示器による発射周波数の変化模式の判断方法。
【請求項１６】
前記周波数値ｆnが前記周波数の上限値ｆUBより大きい場合は、前記電磁気式指示器はペン先に圧力が加えられている状態である事を特徴とする、請求項１４に記載の電磁気式指示器による発射周波数の変化模式の判断方法。
【請求項１７】
前記周波数値ｆnが前記下限値ｆLBより大きい場合は、前記電磁気式指示器は前記第一方キーが押された状態である事を特徴とする、請求項１４に記載の電磁気式指示器による発射周波数の変化模式の判断方法。
【請求項１８】
前記周波数値ｆnが前記下限値ｆLBより小さい場合は、前記電磁気式指示器は前記第二方キーが押された状態である事を特徴とする、請求項１４に記載の電磁気式指示器による発射周波数の変化模式の判断方法。
【請求項１９】
スキャンで得られた電磁気式指示器の周波数値ｆnと前記電磁気式指示器の最小の圧力階段の周波数値ｆ1とを比較する工程と、
前記周波数値ｆnが前記最小の圧力階段の周波数値ｆ1より大きいかを判断する工程と、
前記周波数値ｆnが前記電磁気式指示器の最大の圧力階段の周波数値ｆ2より大きいかを判断する工程と、
もし前記周波数値ｆnが前記最大の圧力階段の周波数値ｆ2より大きい場合、前記最大の圧力階段の周波数値ｆ2を変更させ、前記周波数値ｆnを新たな最大の圧力階段の周波数値とする工程と、
前記新たな最大の圧力階段の周波数値及び前記最小の圧力階段の周波数値ｆ1に基き前記電磁気式指示器のペン先の圧力階段値を算出する工程を含む事を特徴とする、
電磁気式指示器のペン先の圧力階段値を動態に調整する調整方法。
【請求項２０】
前記周波数値ｆnが前記最小の圧力階段の周波数値ｆ1より小さい場合、前記電磁気式指示器が最細の軌跡線を描写させる際に対応する前記最小の圧力階段の周波数値ｆ1を変更させると、前記周波数値ｆnを新たな最小の圧力階段の周波数値とする事を特徴とする、請求項１９に記載の電磁気式指示器のペン先の圧力階段値を動態に調整する調整方法。
【請求項２１】
前記新たな最小の圧力階段の周波数値及び前記最大の圧力階段の周波数値ｆ2に基き前記電磁気式指示器のペン先の圧力階段値を算出する工程を更に備える事を特徴とする、請求項２０に記載の電磁気式指示器のペン先の圧力階段値を動態に調整する調整方法。
【請求項２２】
前記周波数値ｆnが前記電磁気式指示器の前記最大の圧力階段の周波数値ｆ2より小さい場合、前記最小の圧力階段の周波数値ｆ1及び前記最大の圧力階段の周波数値ｆ2は変更させる必要がなく、前記最小の圧力階段の周波数値ｆ1及び前記最大の圧力階段の周波数値ｆ2に基き前記電磁気式指示器のペン先の圧力階段値を算出する事を特徴とする、請求項１９に記載の電磁気式指示器のペン先の圧力階段値を動態に調整する調整方法。
【発明の詳細な説明】
【技術分野】
【０００１】
本発明は、書き込み時に施される力を利用して発射周波数を変更させる電磁気式指示器とその制御方法に関する。
【背景技術】
【０００２】
電磁式の入力技術の動作原理は主に複数の軸方向に分布する誘導用アンテナ回路或いはアンテナの回路基板を有し、電磁信号を発信させる電磁気式指示器により入力動作を行う。
このため電磁式入力装置のセンサ面はアンテナ或いはセンサーコイルにより構成される。
アンテナ或いはセンサーコイルは入力装置の作業表面下或いはディスプレイスクリーンの後に配置（layout）される。
電磁気式指示器を操作する場合、電磁気式指示器の座標位置は電磁気式指示器内の発振回路とアンテナ或いはセンサーコイルとの間で伝送される電磁波の信号の処理及び計算を経て得られる。
【０００３】
電磁式入力技術を応用する入力装置はスマートフォン（Smart Phone）、タブレット型コンピューター（Digitizer tablets）、或いは電子書籍端末（E-book/Greenbook）を含み、電磁気式指示器またはスタイラスペン（stylus）を用いて入力操作を行う。
【０００４】
電磁気式指示器の発振回路は通常誘導子、コンデンサ、及び相関する部材により組成されてペンチューブ内に設置される。
誘導子はフェライトコア（ferrite core）に巻き付けられる金属コイルにより構成されてコンデンサ等の相関部材と共に発振回路を形成させ、入力装置のアンテナ回路或いはセンサーコイルの間に電磁波信号を伝送／受信させる。
発振回路は並列になる金属コイルのインダクタンス値及び回路に接続される容量値に基き、回路の発振周波数を決定させ、ユーザーが電磁気式指示器により入力装置に書き込む場合、電磁気式指示器内のペン先は容量値或いはインダクタンス値を連続的に変化させ、さらに発振回路の周波数も一緒に連続的に変化させ、入力装置は内部回路により受信した電磁信号の周波数を検知させて計算し、電磁気式指示器のペン先の圧力階段を求める。
【０００５】
例えば、特許文献１に記載される主な設計原理はペン先が圧力を受けると、容量値は連続的変化を発生させ、また、特許文献２ではペン先が圧迫されると、インダクタンス値は連続的変化を発生させる。
電磁気式指示器の設計者は通常使用上の需要により電磁気式指示器の発振回路の電気容量或いは誘導子の何れを変化させるか調整させるかを決定させ、容量値或いはインダクタンス値の変化の範囲の大きさを決定させる。
【先行技術文献】
【特許文献】
【０００６】
【特許文献１】米国特許出願第５２０６７８５号公報
【特許文献２】米国特許出願第５５６５６３２号公報
【特許文献３】米国特許出願第０１７５８５４号公報（台湾特許出願第Ｍ３８５７４６号公報）
【発明の概要】
【発明が解決しようとする課題】
【０００７】
しかしながら、前述した従来の技術では、ユーザーは電磁気式指示器のペン先に軽く圧力を加えただけで、インダクタンス値を変化させるか設計か容量値を変化させる設計かに問わず共に連続的に変化させる模式であるため、弱い外力を施された場合、内部のペン芯構造を連動させて変位させて周波数を変化させる事ができず、変化させたとしてもその周波数値の変化量はごく僅かであり、このため入力装置はペン先に圧力が加えられたかを精確に検知できず、ユーザーもペン先を軽く接触させるるのみでは電磁気式指示器で書き込みを出来なかった。
【０００８】
特許文献３にはペン芯によりマイクロスイッチをトリガーさせる設計の構造が掲示されているが、このペンはペン先の筆跡に従い変化する可変誘導子或いは可変電気容量の構造を欠いており、このため電磁気式指示器内部の発振回路もペン先の筆跡に従い連続的周波数変化を発生させる事ができず、この設計構造を採用する電磁気式指示器はペン先の圧力感触階段の機能を有しない。
【０００９】
本発明は、このような従来の問題に鑑みてなされたものであり、新型の電磁気式指示器とその制御方法を提供する。
ユーザーは新型の電磁気式指示器を入力装置に搭載して書き込みに使う場合、電磁気式指示器のペン先が受ける極僅かな力により即発振回路に並列されるコンデンサの容量値を変化させ、電磁気式指示器のペン先の圧力感触能力を兼ね備える前提の下、書き込み時に電磁気式指示器が発振する信号の周波数はペン先が圧迫される初期に非連続の変化を発生させ、その制御方法を提供する。
【００１０】
そこで、本発明者は上記の欠点が改善可能と考え、鋭意検討を重ねた結果、合理的設計で上記の課題を効果的に改善する本発明の提案に到った。
【００１１】
本発明は、上記課題解決のため、電磁気式指示器の書き込み時に施される力を利用し電磁気式指示器の発射周波数を即変化させ、ペン先を軽く接触させるのみで電磁気式指示器による書き込みを達成させ、同時にペン先の圧力感触能力を有する電磁気式指示器とその制御方法を提供することを主目的とする。
【課題を解決するための手段】
【００１２】
上述した課題を解決し、目的を達成するために、本発明に係る電磁気式指示器の制御方法は、
コア、及び複数の導体接続点及び導体部材を有し、前記コアが圧力を受けると前記導体部材は前記導体接続点に接触されて前記発振回路の容量値を増加させる発振回路を備える、電磁気式指示器及び入力装置を提供する工程と、
前記電磁気式指示器を前記入力装置に設置させて前記コアのペン先に対し力を加えて前記導体部材を前記導体接続点に接触させて前記発振回路の容量値を増加させ、前記電磁気式指示器が発信する信号の周波数は前記ペン先が圧迫される初期に非連続の変化を発生させる工程を含むことを特徴とする。
【００１３】
本発明によれば、入力装置は非連続的変化を検知させる事ができるため、ペン先が軽く触れるのみで電磁気式指示器の書き込み機能を得られ、また、ペン先の圧力感触の程度の順序を動態に調整させてペン先に圧力感触能力を保有する。
【００１４】
また、本発明に係る電磁気式指示器控は、
ペン先を含むコアと、
複数の導体接続点及び導体部材を有し、前記ペン先が圧力を受けると前記導体部材は前記導体接続点に接触されてそれの容量値を増加させ、それが発信させる信号の周波数は前記ペン先が圧迫される初期に非連続の変化を発生させる発振回路を備えることを特徴とする。
【００１５】
本発明によれば、ペン先が圧力を受けると導体部材を導体接続点に接触させて発振回路の容量値を増加させると共に発振回路の周波数を下降させる。
【００１６】
本発明に係る電磁気式指示器発射周波数変化模式判断方法は、
電磁気式指示器の周波数値ｆnを検知させる工程と、
前記周波数値ｆnが前記電磁気式指示器のペン先が起動して筆跡が出現する周波数の閾値ｆONより小さいかを判断させる工程と、
前記周波数値ｆnが前記電磁気式指示器の第一方キーが押される際の周波数の上限値ｆUBより小さいかを判断させる工程と、
前記周波数値ｆnが前記電磁気式指示器の第二方キーが押される際の周波数の下限値ｆLBより小さいかを判断させる工程を含むことを特徴とする。
【００１７】
本発明に係る電磁気式指示器のペン先の圧力階段値を動態に調整する調整方法は、
スキャンで得られた電磁気式指示器の周波数値ｆnと前記電磁気式指示器の最小の圧力階段の周波数値ｆ1とを比較する工程と、
前記周波数値ｆnが前記最小の圧力階段の周波数値ｆ1より大きいかを判断する工程と、
前記周波数値ｆnが前記電磁気式指示器の最大の圧力階段の周波数値ｆ2より大きいかを判断する工程と、
もし前記周波数値ｆnが前記最大の圧力階段の周波数値ｆ2より大きい場合、前記最大の圧力階段の周波数値ｆ2を変更させ、前記周波数値ｆnを新たな最大の圧力階段の周波数値とする工程と、
前記新たな最大の圧力階段の周波数値及び前記最小の圧力階段の周波数値ｆ1に基き前記電磁気式指示器のペン先の圧力階段値を算出する工程を含むことを特徴とする。
【発明の効果】
【００１８】
本発明によれば、ユーザーはこの新型の電磁気式指示器を入力装置に搭載して書き込みに使用する場合、電磁気式指示器のペン先が僅かな力を受けるのみで発振回路に並列になるコンデンサの容量値を変化させて電磁気式指示器の周波数を変更させ、電磁気式指示器のペン先の圧力感触階段を兼ね備える前提の下、書き込み時に電磁気式指示器が発信させる信号の周波数にペン先が圧迫される初期に非連続の変化を発生させて、電磁気式指示器の書き込み機能の起動を制御させる。
【図面の簡単な説明】
【００１９】
【図１】本発明の第１実施例に用いられる電磁気式指示器を示す。
【図２】本発明の図１に示す電磁気式指示器を説明する断面模式図である。
【図２Ａ】本発明の第１実施例の弾性導体部材と回路基板の導体接続点によるスイッチを説明する概略図である。
【図２Ｂ】本発明の電磁気式指示器の容量及びインダクタンスによる発振回路を説明する概略図である。
【図３】本発明の第１実施例の容量及びインダクタンスによる発振回路に用いられる等価回路を説明する図である。
【図４Ａ】本発明の第２実施例の電磁気式指示器の発振回路の発射周波数の変化模式である。
【図４Ｂ】本発明の第２実施例の電磁気式指示器の発振回路の発射周波数の変化模式である。
【図５Ａ】本発明の実施形態の電磁気式指示器による発射周波数の変化模式の判断方法である。
【図５Ｂ】本発明の実施形態の電磁気式指示器のペン先による圧力感触或いはペン先の圧力階段値を動態に調整する調整方法である。
【図６】本発明の第１実施例の電磁気式指示器の周波数とペン先の圧力階段との関係の概略図である。
【発明を実施するための形態】
【００２０】
以下、本発明の実施形態を図面に基づいて説明する。なお、本発明は、以下に説明する実施形態に限定されるものではない。
【００２１】
［第１実施例］
まず、本発明の電磁気式指示器の第１実施例について説明する。
図１は本発明の第１実施例の電磁気式指示器の応用である。
図１に示すように、電磁気式指示器１００の外観はキー１０２、ペンチューブ組み立て部材１０４ａ、ペンチューブ組み立て部材１０４ｂ、及びペン先１０６を備える。
なお、図２は図１の電磁気式指示器の断面図である。
図１及び図２の電磁気式指示器は本発明の実施形態の応用例を示すのみで、これに制限させるわけではない。本発明の実施形態は他のあらゆる電磁気式指示器に応用可能である。
【００２２】
図２の電磁気式指示器１００はキー１０２、ペンチューブ組み立て部材１０４ａ、ペンチューブ組み立て部材１０４ｂ、コア１０６、フェライトコア（ferrite core）１０８、フェライトコア１１０、バッファー部材１０９、弾性部材１１２、接触部材（touch pin）１１４、導体部材１１６、及び回路基板１１８を備える。
ペンチューブ組み立て部材１０４ａ及びペンチューブ組み立て部材１０４ｂはコア１０６、フェライトコア１０８、フェライトコア１１０、弾性部材１１２、接触部材１１４、及び回路基板１１８を収納させる。
フェライトコア１０８の表面にはコイル巻線を有する。
フェライトコア１０８、その表面のコイル巻線、及びフェライトコア１１０により可変誘導子を構成させる。
導体部材１１６は円錐形ばね或いは導電ゴムを含む。
【００２３】
この好ましい実施形態では、フェライトコア１０８は中空であり、コア１０６はフェライトコア１０８を貫通させ、コア１０６をフェライトコア１０８内でスライドさせ、またフェライトコア１１０は凹型槽を有しコア１０６の一端を収納させる。コア１０６がフェライトコア１０８内で軸方向へ移動すると、コア１０６はフェライトコア１０８の凹型槽内に設置される一端によりフェライトコア１１０を押し、フェライトコア１１０、フェライトコア１０８、及びコイル巻線を対応させて偏位させる。
弾性部材１１２はフェライトコア１０８と接触部材１１４との間に位置される。フェライトコア１１０がコア１０６に押されてフェライトコア１０８及びコイル巻線に対応させて偏位されると、弾性部材１１２は押し出されて接触部材１１４を押し、接触部材１１４は導体部材１１６を押す。
【００２４】
回路基板１１８はペンチューブ組み立て部材１０４ａ及びペンチューブ組み立て部材１０４ｂ内に固定される。
回路基板１１８のペン先方向に向けられる一端には導体接続点を有し、回路基板１１８は接触部材１１４により導体部材１１６を押して回路基板１１８の導体接続点を導通させ、この部分の詳細な内容については以下に詳述する。キー１０２はペンチューブ組み立て部材１０４ａ内に外に向けて設置され、回路基板１１８の回路のスイッチとなる。
【００２５】
この好ましい実施形態では、回路基板１１８はプリント回路基板（printed circuit board）を備え、プリント回路基板は発振回路及び制御部材等を有し、電磁気式指示器に電磁信号を電磁入力装置へと発射させるか、或いは電磁入力装置のアンテナないしはセンサーコイルから発射された電磁信号を受信させる。
電磁入力装置はスマートフォン、タブレット型コンピューター、電子書籍端末等を含む。
【００２６】
図２Ａは導体部材及び回路基板の導体接続点が構成させるスイッチの概略図である。導体部材１１６は円錐形ばねを例にとる。接触部材１１４が偏位されて円錐形ばねを圧迫させると、円錐形ばねの中央を回路基板１１８の一方の導体接続点１１９に接触させ、これにより回路基板１１８上の一部の部材の回路を導通させ、電磁気式指示器のコンデンサ及び誘導子により構成される発振回路の電気的特性を変更させ（例えばＬＣ発振周波数）、この部分の詳細な内容については以下に説明する。
図２Ａの円錐形ばねと回路基板１１８とが完全に分離されているのは理解しやすくするために過ぎない。
接触部材１１４が円錐形ばねを圧迫させない場合、円錐形ばねは回路基板１１８の導体接続点に接触するように設置され、円錐形ばねの中央と中央導体接続点１１９とが分離されるのみである。
【００２７】
図２Ｂは本発明の実施形態による電磁気式指示器の電気容量及び誘導子により構成される発振回路の応用である。ＣＬ１及びＣＬ２それぞれコンデンサ及び誘導子により構成される発振回路の誘導子の二端となり、コンデンサＶＣ１、コンデンサＣ１、コンデンサＴＣ１、及びコンデンサＪ１をコンデンサＭＣ１乃至コンデンサＭＣ７とコンデンサＭ１乃至コンデンサＭ６との並列に加えるかは否かは、導体接続点ＳＬ１、導体接続点ＳＬ２、及び導体接続点ＳＬ３が導通されるか否かによって決定する。
図２Ａによると、導体接続点ＳＬ２は導体接続点１１９に相等する。円錐形ばねの中央が中央導体接続点１１９に接触されると、導体接続点ＳＬ２と導体接続点ＳＬ１及び導体接続点ＳＬ３とが導通されて、コンデンサＶＣ１、コンデンサＣ１、コンデンサＴＣ１、及びコンデンサＪ１をコンデンサＭＣ１乃至コンデンサＭＣ７とコンデンサＭ１乃至コンデンサＭ６との並列に加える。方程式は以下の通りである。
［式１］
2014110039.tif 000003
電気容量が増加すると、周波数は下降し、ｆは周波数となり、Ｌはインダクタンス値となり、Ｃは容量値となる。
【００２８】
図２ＢのスイッチＳＷ１は図２のキー１０２により制御される回路基板１１８のスイッチに相等し、コンデンサＳＣ１、コンデンサＳＣ２、及びコンデンサＪＳ１をコンデンサＭＣ１乃至コンデンサＭＣ７とコンデンサＭ１乃至コンデンサＭ６との並列に加えるかを制御させ、電磁気式指示器の発振回路の発射周波数を変更させ、電磁気式指示器の機能の実行に用いられ、例えばマウスの左右のキーの切換や書き込み機能の切換、或いは削除(消しゴム)機能の切換等に用いられる。
【００２９】
図３は本発明の実施形態によるコンデンサ及び誘導子により構成される発振回路の等価回路の応用である。
図３の等価回路と図２Ｂのコンデンサ及び誘導子により構成される発振回路は完全に同じではないが、但しどちらも本案の特徴の実施形態の説明に用いられる。
誘導子Ｌは発振回路の等価誘導子である。
コンデンサＣ１は発振回路の等価コンデンサであり、コンデンサＣtipは発振回路のスイッチＳにより制御されるコンデンサである。
本発明の実施形態は図２Ａの実施形態に結合され、導体部材１１６及び回路基板導体接続点１１９により構成されるスイッチＳがコンデンサＣtipを発振回路及びコンデンサＣの並列に加えると、コンデンサＣtipとコンデンサＣは並列になり発振回路の等価コンデンサを増加させ、発振回路の周波数を急に下降させる。
図２の実施形態との結合により、導体部材１１６が接触部材１１４に押されて回路基板１１８の導体接続点を導通させると、電磁気式指示器の発振回路の発射周波数を本来の漸進的な変化から急な下降へと変更させ、この急な下降の周波数変化は入力装置の電磁気式指示器が書き込み機能を起動させる信号の通知に用いられるが、これに限定させるわけではない。
【００３０】
図４Ａ及び図４Ｂはそれぞれ本発明の第２実施例の電磁気式指示器の発振回路の発射周波数が急に変化する非連続の模式である。
図４Ａの電磁気式指示器の発振回路の発射周波数の変化模式は電磁気式指示器のペン先或いはコアが接触し圧力を受けた際に、発振回路のインダクタンス値が漸進的に減少し、これにより発振回路の発射周波数は漸進的に増加する。
図４Ａのように、電磁気式指示器のペン先或いはコアが接触し圧力を受けると、電磁気式指示器内の可変誘導子が変化することで誘導子が小さくなり電磁気式指示器の周波数が漸進的に増加し、電磁気式指示器のペン先が圧力を受け続けると図２Ａの導体部材１１６が接触部材１１４に押されて回路基板１１８の導体接続点を導通させる。
この際図２Ｂ及び図３の実施形態のように、ペン先が接触されて圧力を受け続けることで導体接続点ＳＬ１、導体接続点ＳＬ２、及び導体接続点ＳＬ３が導通され、コンデンサＶＣ１、コンデンサＣ１、コンデンサＴＣ１、及びコンデンサＪ１をコンデンサＭＣ１乃至コンデンサＭＣ７とコンデンサＭ１乃至コンデンサＭ６との並列に加えるか、或いはスイッチＳがコンデンサＣtipを発振回路とコンデンサＣとの並列に加え、発振回路の発射周波数は急に非連続的に下降する。
電磁気式指示器の周波数がペン先が起動(Tip ON)し筆跡が出現する周波数の閾値ｆONより低い場合、電磁気式指示器の線書き込み機能が起動される。
電磁気式指示器の発振回路の周波数がペン先の最小の圧力或いは最小の圧力階段の周波数値ｆ1の場合、電磁気式指示器が最細の線状の筆跡を描くのと同じ状態になる。
電磁気式指示器のペン先が圧力を受け続けると、電磁気式指示器内の可変誘導子は継続的に変化し、誘導子は持続的に小さくなり電磁気式指示器の周波数は漸進的に増加し、この際電磁気式指示器が書き出す線状の筆跡の幅も電磁気式指示器の周波数の増加につれて電磁気式指示器の周波数の最大の圧力階段の周波数値ｆ2に達する。
強調したいのは電磁気式指示器のペン先の圧力階段が動態に調整される場合の範囲はｆONと電磁気式指示器側のキーの周波数の上限値ｆUBとの間になる。
電磁気式指示器側のキーの周波数の上限値ｆUBと電磁気式指示器側のキーの周波数の下限値ｆLBは電磁気式指示器の回路の設計により決定される。
【００３１】
図４Ｂの電磁気式指示器の発振回路の発射周波数の変化模式は電磁気式指示器のペン先が接触されて圧力を受け、発振回路のインダクタンス値が漸進的に増加することで、発振回路の発射周波数が漸進的に下降する。
図４Ｂに示すように、電磁気式指示器のペン先或いはコアが接触されて圧力を受けると、電磁気式指示器内の可変誘導子が変化し、インダクタンス値が大きくなり電磁気式指示器の周波数が漸進的に下降し、電磁気式指示器のペン先が圧力を受け続けると図２Ａの導体部材１１６が接触部材１１４に押されて回路基板１１８の導体接続点が導通される。
この際例えば図２Ｂ及び図３の実施形態のように、ペン先が接触されて圧力を受け続ける事で導体接続点ＳＬ１、導体接続点ＳＬ２、及び導体接続点ＳＬ３が導通され、コンデンサＶＣ１、コンデンサＣ１、コンデンサＴＣ１、及びコンデンサＪ１はコンデンサＭＣ１乃至コンデンサＭＣ７とコンデンサＭ１乃至コンデンサＭ６との並列に加えられるか、或いはスイッチＳがコンデンサＣtipを発振回路とコンデンサＣとの並列に加えられると、発振回路の発射周波数は急に非連続的に下降する。
電磁気式指示器の周波数がペン先が起動されて筆跡が出現する周波数の閾値ｆONより低い場合、電磁気式指示器の線書き込み機能が起動される。電磁気式指示器の発振回路の周波数がペン先の最小の圧力或いは最小の圧力階段の周波数値ｆ1に達すると、対応させて電磁気式指示器は最細の線状の筆跡を書き出す状態になる。電磁気式指示器のペン先が圧力を受け続けると、電磁気式指示器内の可変誘導子は持続して変化し、誘導子は持続的に大きくなり電磁気式指示器の周波数は漸進的に下降し、この際電磁気式指示器が書き出す線状の筆跡の幅も電磁気式指示器の周波数の下降に伴い大きくなり、電磁気式指示器の周波数は最大の圧力階段の周波数値ｆ2に達する。
本実施形態では、電磁気式指示器のペン先の圧力階段を動態に調整させる範囲は周波数の閾値ｆONと電磁気式指示器側のキーの周波数の上限値ｆUBとの間になる。
【００３２】
ペン先が圧力を受ける事で発振回路のインダクタンス値が減少するか下降するかは電磁気式指示器のフェライトコアとコイル巻線との配置対応及び内部構造により決定される。
ちなみに、本発明の実施形態は電磁気式指示器の構造を強調するわけではなく、本発明の実施形態は電磁気式指示器の構造により実行される電磁気式指示器の各種機能へ必要に合わせて対応させる。
どの電磁気式指示器の構造を用い本発明の実施形態の機能を実行させるかは需要に合わせ決定される。
【００３３】
図５Ａ及び図５Ｂはそれぞれ本発明の実施形態の電磁気式指示器による発射周波数の変化模式の判断方法及び電磁気式指示器のペン先の圧力感触を動態に調整させる調整方法を示す図である。
図５Ａに示すように、まず工程５０２で電磁気式指示器の周波数ｆnを検知させる。
次に工程５０４で検知された周波数ｆnがペン先が起動(Tip ON)されて筆跡が出現する周波数の閾値ｆONより小さいかを判断させる。
もしｆnがｆONより小さくなければ、工程５０６で電磁気式指示器の如何なるキーも押されていない状態だと決定される。
もし検知された周波数ｆnがペン先が起動される周波数に閾値ｆONより小さいならば、工程５０８で検知された周波数ｆnが電磁気式指示器側のキーの上限値ｆUBより小さいかを判断させる。
もし検知された周波数ｆnが電磁気式指示器側のキーの上限値ｆUBより小さくなければ、工程５１０で電磁気式指示器はペン先が押された状態だと決定され、工程５１２の電磁気式指示器のペン先の圧力感触を動態に調整させる工程を実行させる。
もし検知された周波数ｆnが電磁気式指示器側のキーの上限値ｆUBより小さいならば、工程５１４で検知された周波数ｆnが電磁気式指示器側のキーの下限値ｆLBより小さいかを判断させる。
もし検知された周波数ｆnが電磁気式指示器側のキーの下限値ｆLBより小さくなければ、工程５１６で電磁気式指示器の側辺の第一方キーが押された状態だと決定される。
もし検知された周波数ｆnが電磁気式指示器側のキーの下限値ｆLBより小さいならば、工程５１８で電磁気式指示器の側辺の第二方キーが押された状態だと決定される。
【００３４】
図５Ｂは本発明の図４Ａの実施形態による電磁気式指示器のペン先の圧力感触或いはペン先の圧力階段値を動態に調整させる方法工程に対応している。
図５Ｂに示すように、まず工程５１９でスキャンにより得られた周波数値ｆnとペン先の最小の圧力或いは最小の圧力階段の周波数値ｆ1を比較させる。
次に工程５２０でスキャンにより得られた周波数値ｆnがペン先の最小の圧力或いは最小の圧力階段の周波数値ｆ1より大きいかを判断させる。
もしスキャンにより得られた周波数値ｆnがペン先の最小の周波数値ｆ1より大きくなければ、工程５２２で電磁気式指示器により最細の軌跡線が書き出された際に対応させる周波数値ｆ1を変更させ、新たなｆ1=ｆnとする。
その後工程５２４で変更後のｆ1及び本来のｆ2の値を基に電磁気式指示器のペン先の圧力階段値を算出させる。
もしスキャンにより得られた周波数値ｆnがペン先の最小の周波数値ｆ1より大きいならば、工程５２６でスキャンにより得られた周波数値ｆnが最大の圧力階段の周波数値ｆ2より大きいかを判断させる。
もしスキャンにより得られた周波数値ｆnが最大の圧力階段の周波数値ｆ2より大きくなければ、工程５２８でｆ1及びｆ2の変更は必要ないと決定される。
工程５３０はｆ1及びｆ2の値を基に電磁気式指示器のペン先の圧力階段値を算出させる。もしスキャンにより得られた周波数値ｆnが最大の圧力階段の周波数値ｆ2より大きいならば、工程５３２で電磁気式指示器により最も粗い軌跡線が書き出された際に対応させる周波数値ｆ2を変更させ、新たなｆ2 =ｆnとする。工程５３４では変更後のｆ2及び本来のｆ1の値を基に電磁気式指示器のペン先の圧力階段値を算出させる。
【００３５】
図６は本発明の実施形態の電磁気式指示器の周波数とペン先の圧力階段との関係の概略図である。
図６に示すように、ｆ1は最小の圧力階段の周波数(動態に変更)であり、ｆnはスキャンで得られた周波数値であり、ｆ2は最大の圧力階段の周波数(動態に変更)である。
ｆ1が対応させるペン先の圧力階段は１であり、ｆnはスキャンが対応させるペン先の圧力階段に対応させ、ｆ2はペン先の圧力階段の最大値(例えば４０９６階)に対応させる。例えばもしスキャン時のｆ1= ４６１５３８Ｈｚであれば、ｆ2= ４７０５８８Ｈｚとなり、ペン先が有する圧力感触階段の最大の目盛り値は４０９５階(０階を含む)であり、ペン先圧力感触は４０９６階を有し、スキャンが対応させるペン先の圧力階段は４０９５Ｘ[(ｆn - ４６１５３８) / (４７０５８８-４６１５３８) ]である。
【００３６】
上述の実施形態は本発明の技術思想及び特徴を説明するためのものにすぎず、当前記技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３７】
１００    電磁気式指示器
１０２    キー
１０４ａ  ペンチューブ組み立て部材
１０４ｂ  ペンチューブ組み立て部材
１０６    コア
１０８    フェライトコア
１０９    バッファー部材
１１０    フェライトコア
１１２    弾性部材
１１４    接触部材
１１６    弾性導体部材
１１８    回路基板
１１９    導体接続点
５０２〜５１８    電磁気式指示器による発射周波数の変化模式の判断方法のフローチャート
５１９〜５３４    電磁気式指示器のペン先による圧力感触或いはペン先の圧力階段値を動態に調整する調整方法のフローチャート
【図１】
2014110039.tif 000004
【図２】
2014110039.tif 000005
【図２Ａ】
2014110039.tif 000006
【図２Ｂ】
2014110039.tif 000007
【図３】
2014110039.tif 000008
【図４Ａ】
2014110039.tif 000009
【図４Ｂ】
2014110039.tif 000010
【図５Ａ】
2014110039.tif 000011
【図５Ｂ】
2014110039.tif 000012
【図６】
2014110039.tif 000013